(57)【要約】【課題】移動を伴うビジネスを行う出稿者による出稿作業を支援することを目的とする。【解決手段】出稿支援システム（１０）は、出稿者の端末の位置を取得する取得部（１２０）と、前記位置に対応して決定される、広告コンテンツおよび配信条件の少なくともいずれか一つを前記端末に表示する表示部（１５０）とを有する。【選択図】図１
2020017100.tif 000002
【特許請求の範囲】
【請求項１】
出稿者の端末の位置を取得する取得部と、
前記位置に対応して決定される、広告コンテンツおよび配信条件の少なくともいずれか一つを前記端末に表示する表示部と
を有する出稿支援装置。
【請求項２】
前記配信条件は、配信対象エリア、配信タイミング、配信対象ユーザの属性のうちいずれか１以上によって表わされる、
請求項１記載の出稿支援装置。
【請求項３】
該決定された配信条件に対応する、前記広告コンテンツの色彩についての情報を表示する
請求項１または２に記載の出稿支援装置。
【請求項４】
前記配信条件は、配信対象ユーザの属性と配信対象エリアとからなる組み合わせによって表わされる、
請求項１〜３のいずれか一項に記載の出稿支援装置。
【請求項５】
前記配信条件は、前記属性ごとに異なる表示態様で、地図上に重ねて表示される
請求項４記載の出稿支援装置。
【請求項６】
前記配信対象エリアの境界の指定を受付ける第１受付手段を更に有する
請求項２、４、５のいずれか一項に記載の出稿支援装置。
【請求項７】
前記配信条件に基づいて広告の配信の実行指示を受付ける第２受付手段を有し、
前記表示部は、前記広告が配信された端末または該配信された広告へアクセスした端末の位置情報を地図上に重ねて表示する
ことを特徴とする請求項１〜６のいずれか一項に記載の出稿支援装置。
【請求項８】
前記表示部は、前記広告が配信されたタイミングまたは該配信された広告へのアクセスがなされたタイミングに応じて、前記広告の配信状況およびアクセス状況の少なくともいずれかについての表示態様を変える
ことを特徴とする請求項７に記載の出稿支援装置。
【請求項９】
前記表示部は、前記広告コンテンツが配信されまたは該配信された広告へアクセスした端末のユーザの属性に基づいて、前記広告の配信状況およびアクセス状況の少なくともいずれかについての表示態様を変える
ことを特徴とする請求項７または８に記載の出稿支援装置。
【請求項１０】
出稿者の端末の位置を取得するステップと、
前記位置に対応して決定される、広告コンテンツおよび配信条件の少なくともいずれか一つを前記端末に表示するステップと
を有する出稿支援方法。
【請求項１１】
１以上のコンピュータに、
出稿者の端末の位置を取得するステップと、
前記位置に対応して決定される、広告コンテンツおよび配信条件の少なくともいずれか一つを前記端末に表示するステップと
を実行させるためのプログラム。
【発明の詳細な説明】
【技術分野】
【０００１】
本発明は広告の配信に関する。
【背景技術】
【０００２】
所在位置など所定の条件を満たす配信先の端末に対して広告情報を配信することが行われている（特許文献等１）。
【先行技術文献】
【特許文献】
【０００３】
【特許文献１】特開２０１７-３７５７４号公報
【発明の概要】
【発明が解決しようとする課題】
【０００４】
従来、広告を出す（出稿する）のは、主に大企業であった。しかし、近年の携帯端末の普及やビジネス環境の変化により、個人事業主やスモールビジネスを営む事業体にとっても広告宣伝活動に注力することが求められている。
しかし、個人事業主等の中には、広告宣伝専属の担当を置く余裕がないなど、広告宣伝活動に十分なリソースを当てることができない場合が多い。加えて、個人事業主においては、移動販売や複数の店舗を運営する場合など、移動を伴うビジネスを行う場合も多い。特に、このようなビジネス形態の場合、広告コンテンツ（バナーやランディングページなど）の作成、広告の効果的な配信対象の選定や配信タイミングの決定、その他の諸々の配信条件の決定を行うことは広告主（出稿者）にとって、負担が大きい。
本発明は、移動を伴う出稿者による出稿作業を支援することを目的とする。
【課題を解決するための手段】
【０００５】
本発明は、一の態様において、出稿者の端末の位置を取得する取得部と、前記位置に対応して決定される、広告コンテンツおよび配信条件の少なくともいずれか一つを前記端末に表示する表示部とを有する出稿支援装置を提供する。
【発明の効果】
【０００６】
本発明によれば、移動を伴う出稿者の出稿作業が支援される。
【図面の簡単な説明】
【０００７】
【図１】出稿支援システム１０の概要図。
【図２】出稿端末１００の機能ブロック図。
【図３】配信管理サーバ２００の機能ブロック図。
【図４】配信先端末３００の機能ブロック図。
【図５】出稿支援システム１０の動作例。
【図６】配信条件を決定する動作の例（概要）。
【図７】配信条件を決定する動作の例（詳細）。
【図８】配信条件を編集する画面の例（詳細）。
【図９】配信エリアを編集する画面の例（その１）。
【図１０】配信エリアを編集する画面の例（その２）。
【図１１】出稿者の位置によって配信条件が変化する例。
【図１２】レポートを表示する画面の例（その１）。
【図１３】レポートを表示する画面の例（その２）。
【発明を実施するための形態】
【０００８】
＜実施例＞
図１は出稿支援システム１０の概要を示す。出稿支援システム１０は、出稿端末１００と、配信管理サーバ２００と、配信先端末３００（３００-１、３００-２、３００-３）と、コンテンツサーバ４００とを含む。出稿端末１００は、出稿者９９０によって使用され、スマートフォン、タブレット端末、ラップトップＰＣ、携帯電話機等の情報処理端末である。
通信網５００は、ルーター、基地局、インターネット等の通信設備であって、出稿端末１００、配信管理サーバ２００、配信先端末３００、コンテンツサーバ４００を相互に接続する。
【０００９】
配信先端末３００は、スマートフォン、タブレット端末、ラップトップＰＣ、デスクトップＰＣである。配信先端末３００は、予め配信管理サーバ２００が指定したアプリ（以下、「広告連携アプリ」という）がインストールされている。広告連携アプリは、その実行中にクリッカブルのバナー広告が画面の所定位置に表示される機能を有し、ユーザによるクリック操作やタップ操作等によってバナー広告が指定されると、通信網５００を介して広告本体（いわゆるランディングページ）へアクセスする機能を有する。具体的には、広告連携アプリは、所定のタイミングで配信管理サーバ２００または配信管理サーバ２００からの指示に基づいてバナー広告の配信を管理するサーバにアクセスするＡＰＩを組み込むことによって上記機能を実現する。
加えて、広告連携アプリは、配信先端末３００の記憶部に記憶されたユーザ属性を配信管理サーバ２００へ送信する。また、各配信先端末３００は、自端末の位置情報を通信網５００を介して配信管理サーバ２００へ提供する機能を有する。位置情報は、例えば緯度および経度で表現される。
ここで、広告連携アプリは、例えば検索機能を提供するものであってもよいし、商品購入（Ｅコマース）を行うためのものであってもよいし、広告表示機能以外の機能は問わない。
【００１０】
コンテンツサーバ４００は、配信先端末３００からの要求に応じてウェブページデータを提供するコンテンツサーバであって、配信先端末３００が指定したバナー広告のリンク先アドレスに格納されているコンテンツデータを読み出し、配信先端末３００へ送信する。なお、配信先端末３００の数は例示であって、実際は多数存在する。同様に、配信管理サーバ２００は複数の出稿端末１００（出稿者９９０）について出稿支援を行ってもよい。
【００１１】
図２は、出稿端末１００の機能ブロック図である。出稿端末１００は、通信部１１０と、位置取得部１２０と、制御部１３０と、記憶部１４０と、表示部１５０と、入力部１６０とを含む。
通信部１１０は、３Ｇ、４Ｇ、Wi-Fiなどの無線通信規格に対応した通信モジュールである。
位置取得部１２０は、ＧＰＳモジュール、あるいは基地局やアクセスポイントからの情報を受信して出稿端末１００の位置（すなわち出稿者９９０の位置）を取得する機能モジュールである。
記憶部１４０は、半導体メモリであって、後述の機能を出稿端末１００に実現させるためのアプリケーションプログラム、制御部１３０にて使用される、各種アルゴリズム、地図情報、コンテンツ作成用の画像が記憶される。さらに、記憶部１４０においてクレジットカード番号等の決済情報を記憶しておき、制御部１３０にて本件サービスを利用した出稿に係る決済を行ってもよい。
【００１２】
表示部１５０は、例えば液晶表示装置および描画処理プロセッサによって実現され、出稿端末１００の位置（好ましくは現在の位置であるが、過去の位置や将来の予測位置であってもよい）に対応して決定される。表示部１５０は、広告コンテンツおよび配信条件の少なくともいずれか一つを出稿端末１００に表示する。
【００１３】
広告コンテンツは、配信先端末３００のユーザが広告連携アプリの実行中に画面の一部表示領域に表示されるバナー広告であって広告本体へ誘導するための広告（以下、「一次広告」という）のデータと、配信先端末３００のユーザが当該広告を指定（クリック操作等）した場合に表示され、コンテンツサーバ４００が管理する広告本体（いわゆるランディングページ；以下、「二次広告」という）のデータとを含む。ここで、一次広告はいわゆるバナーの形態である必要はなく、文字、画像（静止画または動画）、音声のいずれかによってユーザを二次広告へ誘導するためのものであればよい。一の態様において、配信条件は、配信対象エリア、配信タイミング、配信対象ユーザの属性のうちいずれか１つ以上によって表わされる。他の態様において、配信条件は、配信対象ユーザの属性と配信対象エリアとからなる組み合わせによって表わされる。
【００１４】
また、表示部１５０は、決定された配信条件に対応する、広告コンテンツの色彩（配色、色味）に関する情報および／または宣伝文書の体裁に関する情報を表示する。好ましい態様において、配信条件は、属性ごとに異なる表示態様で、地図上に重ねて表示される。属性とは、例えば、年齢、性別、趣味、嗜好を含み、広告主がターゲティングに役に立つものであることが好ましい。
【００１５】
入力部１６０は、タッチセンサ、キーボード、マウス等であって、ユーザが指示や情報の入力を行うためのデバイスである。あるいは、タッチセンサ付き表示パネルや音声入力装置であってもよい。入力部１６０は、出稿の予算、一次広告に用いる画像、二次広告を作成するための文書データなど、出稿内容を作成するために必要な基本的な情報を入力するために用いられる。加えて、入力部１６０は、配信対象エリアの境界の指定を受付ける。また、入力部１６０は、決定された配信条件に基づく広告配信の実行指示を受付ける。
【００１６】
撮影部１７０は、カメラ、レンズ、受光素子、画像処理プロセッサを含む。撮影した画像は広告コンテンツの作成に利用できる。なお、撮影部１７０は省略してもよい。
【００１７】
制御部１３０は、プロセッサであって、配信設定生成部１３１と、配信設定編集部１３２と、レポート取得部１３３とを含む。制御部１３０は、広告出稿支援のためのアプリケーションを実行することにより、後述する出稿支援を実現する機能モジュールである。加えて、制御部１３０は、必要に応じて地図を表示するためのアプリケーションを実行し、地図上の施設に関する情報や地域特性（人口密度、商業地なのか住宅地なのか、公共交通機関その他のアクセス手段の利便性など、以下「地域情報」という）を取得し、配信設定生成部１３１に引き渡す。
【００１８】
配信設定生成部１３１は、位置取得部１２０から供給された位置情報に基づいて、広告コンテンツおよび配信条件のうち少なくともいずれか（以下、「配信設定」という）を生成する。
具体的には、配信設定生成部１３１は、エリアと当該エリア内にいると推定される配信先端末３００の数との関係、入札価格と、配信率（広告枠の入札に勝って配信される確率インプレッション）、配信期間、または配信対象の配信先端末３００の数との関係に関するアルゴリズムと、上記位置情報とに基づいて、配信エリアおよび配信タイミングの少なくともいずれかを決定する。この際、更に配信先端末３００のユーザの属性がかみされてもよい。
【００１９】
加えて、配信設定生成部１３１は、配信先のユーザの属性と、一次広告コンテンツの画像の特徴（形状や色味など）および／または二次広告コンテンツの特徴（画像的特徴、宣伝文書の内容、体裁）との親和性（印象の良し悪し）との関係を規定したアルゴリズムと、上記位置情報とに基づいて、広告コンテンツを決定する。
【００２０】
あるいは、配信設定生成部１３１は、ユーザの属性に関係する情報は用いず、位置ないしエリアに関する特徴に基づいて広告コンテンツを決定してもよい。例えば、地図上の設定された複数のエリアの各々と、広告コンテンツの特徴を示す情報とを対応付けて記憶部１４０に記憶しておき、出稿端末１００が属するエリアに対応付けられたエリアに関する特徴を用いて、広告コンテンツを生成する。
【００２１】
なお、位置情報に基づいて配信設定を決定する際には、位置情報と配信情報が対応付けられたテーブルを参照し、あるいは予め定められた因果関係を示すアルゴリズムを用いるにとどまらず、例えば複数の広告主によって用いられた過去の広告設定の内容と位置情報とを学習器に入力させて得られる機械学習モデルを利用してもよい。
【００２２】
配信設定編集部１３２は、入力部１６０から入力された指示に基づいて、広告コンテンツおよび配信条件のうち少なくともいずれかを編集し、確定させる。確定した広告コンテンツおよび配信条件は配信管理サーバ２００に送信される。
【００２３】
レポート取得部１３３は、通信部１１０を介して配信管理サーバ２００から配信状況に関するレポートを取得する。このレポートには、配信状況および／またはアクセス状況を示す情報が含まれる。具体的には、広告が配信された配信先端末３００の位置やタイミング、および該配信された広告へアクセスした配信先端末３００の位置情報およびタイミングが含まれる。
【００２４】
表示部１５０は、配信設定生成部１３１および配信設定編集部１３２にて供給された情報に基づいて、広告コンテンツおよび配信条件の少なくともいずれか一つを表示する。また、表示部１５０は、レポート取得部１３３から供給された情報に基づいて、広告コンテンツが配信された配信先端末３００または該配信された広告コンテンツへアクセスした配信先端末３００の位置情報を、地図上に重ねて表示する。
好ましい態様において、表示部１５０は、レポート取得部１３３から供給された情報に基づいて、前記広告が配信されたタイミングまたは該配信された広告へのアクセスがなされたタイミングに応じて、前記広告の配信状況およびアクセス状況の少なくともいずれかについての表示態様を変える。
【００２５】
表示態様とは、例えば、地図上における配信先端末３００の位置を示すオブジェクトについて、形状、色、大きさ、やこれらの変化（アニメーション）によって規定される。
【００２６】
配信状況には、少なくとも各配信先端末３００について、現在位置、配信された時点（タイミング）が含まれる、好ましくは更に配信先の配信先端末３００のユーザの属性情報が含まれる。アクセス状況には、バナー広告が配信された先の配信先端末３００のうち、当該バナー広告をクリックしてランディングページにアクセスした各配信先端末３００の位置および当該アクセスがあったタイミングが含まれ、好ましくはさらに当該アクセスを行った各ユーザの属性が含まれる。
【００２７】
図３は配信管理サーバ２００の機能ブロック図である。配信管理サーバ２００は、通信部２１０と、配信部２２０と、レポート生成部２３０と、記憶部２４０と含む。
通信部２１０は、ＬＡＮなどの無線通信モジュールとして実現され、通信網５００を介して出稿端末１００および配信先端末３００と情報の授受を行う。
【００２８】
配信部２２０は、プロセッサによって実現され、出稿端末１００から受信した、予算、広告コンテンツ、および配信条件に従って、一次広告を配信先端末３００に配信する。具体的には、配信管理サーバ２００自ら、もしくは広告枠の入札を管理するためのサーバ（図示せず）に依頼して、出稿者９９０から依頼を受けた出稿に係る入札処理を実行する。入札の結果、配信条件に規定された配信エリア内に位置するすべての配信先端末３００のうちから実際の配信先端末３００が選定され、該選定された配信先端末３００に対して所定の配信タイミングで配信処理が実行される。
【００２９】
レポート生成部２３０は、プロセッサによって実現され、出稿端末１００からの要求に応じてまたは予め定められたスケジュールに従って、各配信先端末３００から取得した配信状況および／またはアクセス状況に基づいて、レポート作成する。作成したレポートは、通信部２１０を介して出稿端末１００に送信される。
【００３０】
記憶部２４０は、半導体メモリやハードディスク等の記憶デバイスであって、各配信先端末３００から取得した位置情報、各配信先端末３００から集計した配信状況およびアクセス状況を記憶する。さらに、記憶部２４０は、配信状況を解析に用いるアルゴリズムおよび解析の結果を記憶する。
【００３１】
図４は、配信先端末３００の機能ブロック図である。通信部３１０は、無線通信モジュールとして実現され、配信管理サーバ２００およびコンテンツサーバ４００と情報の授受を行う。
アプリケーション実行部３２０は、プロセッサとして実現され、上述した広告連携アプリを実行する。表示部３３０は、液晶画面や描画プロセッサによって実現され、一次広告を含む広告連携アプリケーションの実行画面を表示する。入力部３５０は、タッチパネル、キーボード、マウス等の入力デバイスであって、表示された一次広告の指定を受け付ける。位置取得部３６０は、位置取得部１２０と同様の、配信先端末３００の位置を取得するモジュールである。なお、入力部３５０からユーザによって入力された位置情報を取得してもよい。記憶部３７０は、半導体メモリやハードディスクであって、ユーザの属性情報および広告連携アプリを記憶する。
【００３２】
図５は、出稿支援システム１０の動作例を示す。配信管理サーバ２００は、広告連携アプリがインストールされた配信先端末３００から予め位置情報を取得する（Ｓ５００）。出稿端末１００は、広告コンテンツおよび配信条件を設定する（Ｓ５０１）。配信条件は出稿端末１００から配信管理サーバ２００へ送信する（Ｓ５０２）。
配信管理サーバ２００は、所定の入札処理を行い、配信条件を満たす配信先端末３００にバナー広告を配信する（Ｓ５０３、５０４）。配信先端末３００はバナー広告を受信すると（Ｓ５０５）、配信先端末３００の識別子と位置情報とユーザ属性情報とを含むＡＣＫを配信管理サーバ２００送信する（Ｓ５０６）。配信管理サーバ２００は、受信したＡＣＫを蓄積および解析する（Ｓ５０７）。
【００３３】
バナー広告がユーザによってクリック等された場合は（Ｓ５１０）、配信先端末３００は端末識別情報とユーザ属性情報とを含むＡＣＫ信号を配信管理サーバ２００に送信する（Ｓ５１１）。配信管理サーバ２００は、受信したＡＣＫ信号を蓄積し解析する（Ｓ５１２）。
加えて、バナー広告がクリックされることを契機として、配信先端末３００はリンク先のページを有するコンテンツサーバ４００にＨＴＴＰリクエストを送信し（Ｓ５１３）、コンテンツサーバ４００からその配信先端末３００に二次広告が送信される（Ｓ５１４）。
【００３４】
出稿者９９０が所定の操作を行うと、レポートの要求が出稿端末１００から配信管理サーバ２００に送信される（Ｓ５２０）。配信管理サーバ２００は当該要求を受信すると、レポートを作成し（Ｓ５２１）、出稿端末１００に送信する（Ｓ５２２）。出稿端末１００は、受信したレポートに基づいて画面表示を行う（Ｓ５２３）。
【００３５】
図６は、図５のＳ５０１にて配信設定を決定する動作例の概要を示す。出稿端末１００は現在位置を取得する（Ｓ６００）。出稿端末１００は、配信設定を行うための画面を表示する（Ｓ６０１）。ユーザの指示に基づいて、必要に応じて条件を編集する。（Ｓ６０２）。ユーザの指示に基づいて、配信設定を確定させる（Ｓ６０３）。
【００３６】
図７は、図６のＳ６０１にて配信設定を決定する動作例の詳細を示す。出稿にかける予算（配信コスト）や広告コンテンツデータ、広告戦略（ターゲットユーザ層など）に関する情報など、出稿に関する基本的な情報を入力しておく（Ｓ７０１）。この基本的な情報は、一度入力すれば、その後出稿者９９０の位置が変化しても入力する必要はないが、必要に応じてユーザが変更することができるものである。配信設定生成部１３１は、配信エリアを決定し（Ｓ７０２）、バナー広告のデザインを決定し（Ｓ７０３）、ランディングページを設定（Ｓ７０４）し、配信期間を決定する（Ｓ７０５）。
なお、Ｓ７０２〜Ｓ７０５のステップの実行順序は任意である。
【００３７】
図８は、図６のＳ６０２において、決定された配信設定を編集する際に表示される画面の例を示す。
同図には、案内メッセージ（ＯＢ６）とともに、配信設定のうち、予算、配信エリア、配信期間、ランディングページのそれぞれの項目について配信設定生成部１３１にて決定された情報がそれぞれＯＢ１〜ＯＢ５にて表示されている。各オブジェクトがタップ操作等によって指定されると、その項目の編集を行うための画面が表示され、出稿者９９０が修正内容を入力することができるようになっている。ユーザは、各項目のうち配信設定生成部１３１が決定した内容に修正を加えたい項目がある場合は、当該項目を指定する。修正の必要なしと出稿者９９０が判断した場合は、ＯＢ７を選択すると、この内容がそのまま確定する。
以下、配信設定の各項目の詳細設定の例を示す。
【００３８】
図９は、配信エリアを編集する画面の例であって、図８のＯＢ２を指定すると表示される。図９においては、出稿者９９０の現在位置が画面中央となるように地図が表示されるとともに、配信設定生成部１３１によって提案された配信エリアが重ねて表示される。この例では４つの配信エリア（ＯＢ１１、ＯＢ１２、ＯＢ１３、ＯＢ１４）が提案されている。また、この例では、ＯＢ１１とＯＢ１２〜１４とは、異なる基準または観点から決定されたもの、ないしは地域特性が異なるものであることを反映して、ＯＢ１１とそれ以外とを区別すべく、異なる表示態様（例えば、色、模様、線の太さ等）表示される。なお、これらのエリアが提案された理由を地図上に重ねて表示してもよい。
【００３９】
例えば、ＯＢ１１のエリアは配信ターゲットのユーザの属性として「学生」の属性を有する配信先端末３００が高い確率で存在することを示す一方、ＯＢ１２〜１４のエリアには、ユーザの属性として「ビジネスマン」の配信先端末３００の割合が多いことを示すメッセージが表示される。
あるいは、ＯＢ１１は人口密集エリアであり、ＯＢ１２〜１４は拠点施設を中心とした所定の行政区画であるという理由で決定されたものである。
【００４０】
出稿者９９０は、このように複数の観点から複数のエリアが提案された場合に、提案された理由を参照して、提案されたエリアの絞り込みまたは広告コンテンツの内容の再検討を行うことが可能である。
【００４１】
出稿者９９０は、提案されたこれらのエリアについて修正（エリアの追加、削除、境界やサイズの変更など）を加えたいと考えた場合、例えばタッチパネル画面上を指でなぞることにより、追加エリアの境界を指定する。この例では、出稿者９９０はエリア（ＯＢ１５）を追加しようと考え、ＯＢ１５の境界を指定する例を示す。なお、配信設定生成部１３１は、出稿者が指定した位置をそのまま境界と決定してもよいし、出稿者９９０が指定したエリアの境界を自動的に補正してもよい。例えば、指定した位置がある施設を分断するように境界線が指定された場合、当該施設の全部領域を含むように（換言すると、配信エリアの境界は必ず隣り合う施設の境界を通るように）に補正する。
【００４２】
必要な修正が完了して出稿者９９０が決定ボタンＯＢ１６をタップすると、配信エリアが確定する。なお、出稿者９９０がエリアの提案に対して同意する場合、位置情報に基づいてＯＢ１６をタップすると、提案の通りで配信エリアが確定する。
【００４３】
図１０は、配信エリアを編集する画面の他の例である。この例では、配信設定生成部１３１が配信エリアとして決定した、出稿者９９０の現在位置であるＰ１を中心として、予算等の基本的情報に基づいて決定される半径ｒのエリアＯＢ２１が表示されている。加えて、配信設定生成部１３１によって計算された、当該エリア内にある配信先端末３００の数が表示される（ＯＢ２２）。出稿者９９０はこの提案されたエリアを修正したいと考えた場合、境界をドラッグして半径ｒの大きさを変えて，エリアのサイズを大きくまたは小さくする。
なお、好ましい態様において、当該エリアの中心Ｐ１は出稿者９９０の現在位置に応じて決定されるので、出稿者９９０が移動しない限り変更できないように設定しておくと簡便である。他の態様において、配信エリアの中心点を、出稿者９９０の現在位置と異なる点にする変更を受付けてもよい。
【００４４】
配信期間、バナー広告、およびランディングページについても同様に、配信設定生成部１３１が出稿端末１００の位置情報に基づいて自動的に提案し、その結果を画面に表示し、出稿者９９０が画面をみて提案に修正が必要と考えた場合は、出稿者９９０による修正操作を受け付ける。これらの項目についての編集画面の例については説明を省略する。
【００４５】
図１１は、出稿者９９０が移動販売を行う場合において、出稿端末１００の位置によって、出稿者９９０に最初に提案される配信設定項目が変化する具体例を示す。例えば、登録された基本的な情報に関し、配信設定生成部１３１は、出稿者９９０がビジネス街にいる時は、２０〜５０代の男性を主なターゲットとすべく、バナー広告や広告本体を調整する。そして、ビジネスパーソンがオフィスから外出する可能性が高い時間帯である１２：００〜１３：００を狙って、比較的近隣に居る配信先端末３００のユーザをターゲットとして配信先に決定する。
【００４６】
一方、出稿者９９０が住宅街に居る場合は、３０〜５０代の女性向けに最も訴求するように、バナー広告のロゴの色使いを、標準的な色使いよりも淡いものに変更するとともに、配信のタイミングも昼〜夕方とし、想定しているターゲットユーザが来訪する可能性の高い施設を基準としたエリアを配信エリアに設定する。
【００４７】
図１２は、図５のＳ５２１にて生成されたレポートに基づいて出稿端末１００に表示される画面の例である。レポートには、一次広告が配信された配信先端末３００の位置、当該配信のタイミング、当該配信先のユーザの属性、二次広告にアクセスした配信先端末３００の位置、アクセスのタイミング、当該アクセスしたユーザの属性に関する情報が含まれていると仮定する。
【００４８】
同図（ａ）は、出稿者９９０が所定の操作を行うと、ユーザが配信対象として指定したエリアの地図に重ねて、リアルタイムの配信状況が表示する画面の例である。リアルタイムの配信状況とは、レポートの要求を行った時点から所定時間（例えば１分あるいは１０分）前までの期間に配信が実行されたケースについての状況である。同図において、一つの点ＯＢ３０が一つの配信先端末３００を表す。あるいは、点の大きさによって、配信先端末３００の数あるいはそのエリアにおける配信先端末３００の密度を表現してもよい。
同図（ｂ）は、一次広告を配信した端末のうち、上記期間内に二次広告にアクセスした配信先端末３００の位置を示す。
【００４９】
なお、（ａ）および（ｂ）の画面は、ユーザの操作によって切り替えて表示されてもよいし、一つの画面上に配信状況とアクセス状況とを区別して表示してもよい。例えば、ＯＢ３１とＯＢ３０とは、ドットの形状、色、大きさ、形状、あるいはこれらの変化（点滅その他のアニメーション表示）の違いによって表現されてもよい。
また、配信および／またはアクセスのタイミングに応じて、表示態様を異ならせてもよい。例えば、現時点から１分前までにアクセスした端末については、それ以外の端末と区別されるように、点滅やアニメーション表示などの強調表示を行う。
【００５０】
このように、配信管理サーバ２００において配信状況が随時蓄積および解析され、その結果を出稿者９９０が任意のタイミングで取得して可視化するので、狙った通りの広告効果が発揮されているかを出稿者９９０は容易に検証することができる。これにより、出稿支援システム１０に対する信頼感が生まれ、さらなる加入者を誘引することが期待される。
【００５１】
図１３は、他の形式でレポートを表示した例である。このレポートは、予め定められたタイミング（例えば、設定した広告配信期間の終了時、あるいは出稿者９９０が要求した時点）において提供され、例えば配信期間の全体など、長期的な配信状況ついての情報を示すものである。
このレポート形式では、配信先端末３００の位置についての情報は省略され、所定の期間に渡って配信された配信先端末３００の合計数（総インプレッション数）およびそのうちアクセスがあった割合（クリック率）を、一日ごとに集計したものである。これにより、図１２のような短期間な観点ではなく、長期的な観点で配信ないしクリックの状況を検証することができる。
【００５２】
なお、図１３に示す統計処理や表示方法は一例であって、例えばインプレッション数の平均、クリック率の平均値、属性ごとのインプレッション数および／またはクリック率、配信先のエリアごとのインプレッション数および／またはクリック率などを算出して表示してもよい。
【００５３】
上記実施例によれば、出稿者の位置が変化しても現在位置に応じた内容設定の内容（広告内容および配信条件の少なくともいずれか一つ）が自動的に決定されるので、出稿者がいる位置に応じて効果的な広告コンテンツや配信条件を簡単に設定することができる。例えば、出稿に関する専門的知識がないあるいは詳細な出稿設定を検討する時間的余裕がない場合であっても、地域特性を加味した出稿を行うことができる。
【００５４】
一例において、基準となるロゴデザイン、広告文書、および配信条件を一度設定しておけば、当該ロゴデザイン、広告文書、および配信条件の内少なくともいずれか一つが位置情報に応じて自動的にカスタマイズされる。出稿者９９０が地域特性を加味して広告内容や配信条件を設定し直す手間がない。
【００５５】
また、出稿者９９０は広告効果についてのレポートを、出稿者９９０が指定するタイミングで確認することができる。出稿者９９０は、レポートを見て配信設定に改善の余地があると判断した場合、あるいは他の理由で、提示された広告内容や配信条件が少なくとも部分的に受け入れなれない場合は、提示された広告内容および／または配信条件を編集することができる。この際、例えば配信条件が複数の項目からなる場合、出稿者９９０が必要と考える項目のみを編集（例えば微調整）すれば済むので、広告な内容や配信条件のきめ細やかな調整を簡単に行うことができる。また、配信エリアの指定や広告効果の確認の際に、地図とともに表示することで、直感的な指定や確認が実現する。
【００５６】
＜変形例＞
上記実施例においては、配信エリア、バナーデザイン、ランディングページ、配信期間のそれぞれにおいて、位置情報を加味して出稿端末１００がユーザに提案を提示し、必要があれば、当該提案に対するユーザの修正を受け付けた。しかし、広告設定に係る所定の項目については、出稿端末１００が提案を行わなくてもよい。具体的には、出稿者９９０は、予め配信設定の項目ごとに、位置に基づく提案を出稿端末１００に行われるか否かについての情報を記憶部１４０に登録しておく。配信設定生成部１３１は、この情報を参照して、提案が許可された項目についてのみ位置に基づく提案を実行する。位置に基づく提案を行わない項目については、出稿者はその都度内容を入力する。あるいは、当該項目については予め定められた内容を位置に関わらず適用してもよい。
【００５７】
配信条件を決定する際に用いられる地域情報には、施設情報に加え、気象情報、交通情報（道路の渋滞状況、電車遅延など）、施設にて催されるイベントの情報が含まれていてもよい。
また、地域情報は、地図アプリケーションの機能として制御部１３０によって提供されてもよいし、配信管理サーバ２００が出稿端末１００からの要求に応じて、出稿端末１００に送信してもよい。換言すると、広告コンテンツや配信条件を生成するのは、出稿端末１００でもよいし配信管理サーバ２００でもよいし、両者の協働処理であってもよい。
また、広告とは、不特定多数の者に情報を伝達するための行為をいい、営利、非営利その他の目的を問わず、内容も問わない。
【００５８】
要するに、本発明に係る情報処理システムにおいて、出稿者の端末の位置を取得するステップと、前記位置に対応して決定される、広告コンテンツおよび配信条件の少なくともいずれか一つを前記端末に表示するステップとが実行されていればよい。
【符号の説明】
【００５９】
１０・・・出稿支援システム、１００・・・出稿端末、２００・・・配信管理サーバ、３００・・・配信先端末、４００・・・コンテンツサーバ、１１０・・・通信部、１２０・・・位置取得部、１３０・・・制御部、１３１・・・配信設定生成部、１３２・・・配信設定編集部、１３３・・・レポート取得部、１４０・・・記憶部、１５０・・・表示部、１６０・・・入力部、１７０・・・撮影部、２１０・・・通信部、２２０・・・配信部、２３０・・・レポート生成部、２４０・・・記憶部、３６０・・・位置取得部、３１０・・・通信部、３３０・・・表示部、３２０・・・アプリケーション実行部、３７０・・・記憶部、３５０・・・入力部、５００・・・通信網、９９０・・・出稿者
【図１】
2020017100.tif 000003
【図２】
2020017100.tif 000004
【図３】
2020017100.tif 000005
【図４】
2020017100.tif 000006
【図５】
2020017100.tif 000007
【図６】
2020017100.tif 000008
【図７】
2020017100.tif 000009
【図８】
2020017100.tif 000010
【図９】
2020017100.tif 000011
【図１０】
2020017100.tif 000012
【図１１】
2020017100.tif 000013
【図１２】
2020017100.tif 000014
【図１３】
2020017100.tif 000015